(57)【要約】【課題】  半導体レーザを使用することにより低消費電力、長寿命、高出力などを実現できるフラッシュ装置、フラッシュ装置を備えるカメラ、およびそのようなフラッシュ装置に用いられる半導体レーザ装置とその製造方法を提供する。【解決手段】  カメラに用いられるフラッシュ装置であって、フラッシュ用光源として半導体レーザ装置が使用される。Ａｇ粗膜で反射面が形成されている反射板などでレーザ光を均一に散乱させることにより、広い範囲の照明と安全性の確保が可能となる。また、半導体レーザ装置は、カメラの撮像面２０ａの長手方向と、半導体レーザ装置から放射されるレーザ光のファーフィールドパターン１１ａ１、１２ａ１、１２ｂ１の広い方向とが一致するように配置される。【選択図】  図２
2005208333.tif 000002
【特許請求の範囲】
【請求項１】
カメラに用いられるフラッシュ装置であって、
フラッシュ用光源として半導体レーザ装置が使用されることを特徴とするフラッシュ装置。
【請求項２】
請求項１に記載のフラッシュ装置において、
このフラッシュ装置が用いられるカメラの撮像面の長手方向と、前記半導体レーザ装置から放射されるレーザ光のファーフィールドパターンの広い方向とが一致するように、前記半導体レーザ装置が配置されることを特徴とするフラッシュ装置。
【請求項３】
請求項２に記載のフラッシュ装置において、
このフラッシュ装置が用いられるカメラが、フィルムを標準サイズ画面またはハーフサイズ画面に切り換えて使用できるカメラであって、
このカメラがフィルムをハーフサイズ画面に切り換えて使用する場合には、前記半導体レーザ装置から放射されるレーザ光がその光軸を中心として９０度回転させられ、ハーフサイズ画面の長手方向と前記レーザ光のファーフィールドパターンの広い方向とを一致させることを特徴とするフラッシュ装置。
【請求項４】
請求項１に記載のフラッシュ装置において、
前記半導体レーザ装置は、波長の異なる複数のレーザ光を放射することを特徴とするフラッシュ装置。
【請求項５】
請求項４に記載のフラッシュ装置において、
前記半導体レーザ装置は複数の半導体レーザ素子を有し、これらの半導体レーザ素子がそれぞれ波長の異なるレーザ光を放射することを特徴とするフラッシュ装置。
【請求項６】
請求項４に記載のフラッシュ装置において、
前記半導体レーザ装置は複数の半導体レーザ素子を有し、これらの半導体レーザ素子の少なくとも１つはモノリシック２波長レーザであることを特徴とするフラッシュ装置。
【請求項７】
請求項５または６に記載のフラッシュ装置において、
前記複数の半導体レーザ素子が、前記半導体レーザ装置の１つのパッケージ内で互いに近接して配置されていることを特徴とするフラッシュ装置。
【請求項８】
請求項１に記載のフラッシュ装置において、
前記半導体レーザ装置がパルス駆動されることを特徴とするフラッシュ装置。
【請求項９】
請求項１に記載のフラッシュ装置において、
前記半導体レーザ装置から放射されるレーザ光を均一に散乱させるレーザ光散乱部材を備えることを特徴とするフラッシュ装置。
【請求項１０】
請求項９に記載のフラッシュ装置において、
前記レーザ光散乱部材は反射板であることを特徴とするフラッシュ装置。
【請求項１１】
請求項１０に記載のフラッシュ装置において、
前記反射板はその反射面がＡｇ粗膜で形成されていることを特徴とするフラッシュ装置。
【請求項１２】
請求項１０に記載のフラッシュ装置において、
前記半導体レーザ装置から放射されるレーザ光により励起されて赤色、緑色、青色の蛍光をそれぞれ発する複数種類の蛍光体が、前記反射板に塗布されていることを特徴とするフラッシュ装置。
【請求項１３】
請求項１２に記載のフラッシュ装置において、
前記複数種類の蛍光体が、所定順序の繰り返しでストライプ状に塗布されていることを特徴とするフラッシュ装置。
【請求項１４】
請求項１３に記載のフラッシュ装置において、
前記半導体レーザ装置から放射されるレーザ光のファーフィールドパターンの広い方向と、前記複数種類の蛍光体のそれぞれが塗布されているストライプ状領域の伸びる方向とを一致させることを特徴とするフラッシュ装置。
【請求項１５】
請求項１に記載のフラッシュ装置において、
前記半導体レーザ装置は、六角柱レーザ素子を有していることを特徴とするフラッシュ装置。
【請求項１６】
請求項１５に記載のフラッシュ装置において、
前記半導体レーザ装置は複数の反射部材を有し、
前記六角柱レーザ素子の６面それぞれから放射されるレーザ光を直接外部に放射させるか、または前記反射部材での反射によってその方向を変えて外部に放射させることにより、前記六角柱レーザ素子の６面それぞれから放射されるレーザ光をすべて外部に放射させることを特徴とするフラッシュ装置。
【請求項１７】
請求項１５に記載のフラッシュ装置において、
前記半導体レーザ装置は、複数の反射部材を有するとともに、
前記六角柱レーザ素子の６面の各端面コート上には、前記六角柱レーザ素子から放射されるレーザ光により励起されて赤色、緑色、青色の蛍光をそれぞれ発する複数種類の蛍光体がそれぞれ塗布されており、
前記六角柱レーザ素子の６面に塗布された前記蛍光体からそれぞれ発せられる赤色、緑色、青色の蛍光を直接外部に放射させるか、または前記反射部材での反射によってその方向を変えて外部に放射させることにより、これらの蛍光が合成された白色光を外部に放射させることを特徴とするフラッシュ装置。
【請求項１８】
請求項１７に記載のフラッシュ装置において、
前記六角柱レーザ素子の６面の各端面コート上に、前記六角柱レーザ素子の対向面同士が同一色の蛍光を発するように前記複数種類の蛍光体がそれぞれ塗布されていることを特徴とするフラッシュ装置。
【請求項１９】
請求項１に記載のフラッシュ装置において、
前記半導体レーザ装置は少なくとも１つの半導体レーザ素子を有し、
この半導体レーザ素子の両端面コート上に、同一色の蛍光を発する蛍光体がそれぞれ塗布されていることを特徴とするフラッシュ装置。
【請求項２０】
請求項１に記載のフラッシュ装置において、
前記半導体レーザ装置は、端面コート上に赤色の蛍光を発する蛍光体が塗布されている第１半導体レーザ素子と、端面コート上に緑色の蛍光を発する蛍光体が塗布されている第２半導体レーザ素子と、端面コート上に青色の蛍光を発する蛍光体が塗布されている第３半導体レーザ素子とを有していることを特徴とするフラッシュ装置。
【請求項２１】
請求項２０に記載のフラッシュ装置において、
前記第１半導体レーザ素子と前記第２半導体レーザ素子と前記第３半導体レーザ素子とが、前記半導体レーザ装置の１つのパッケージ内に配置されることを特徴とするフラッシュ装置。
【請求項２２】
請求項１ないし２１のいずれか１項に記載のフラッシュ装置を備えるカメラ。
【請求項２３】
六角柱レーザ素子と複数の反射部材とを有する半導体レーザ装置であって、
前記六角柱レーザ素子の６面それぞれから放射されるレーザ光を直接外部に放射させるか、または前記反射部材での反射によってその方向を変えて外部に放射させることにより、前記六角柱レーザ素子の６面それぞれから放射されるレーザ光をすべて外部に放射させることを特徴とする半導体レーザ装置。
【請求項２４】
六角柱レーザ素子と複数の反射部材とを有する半導体レーザ装置であって、
前記六角柱レーザ素子の６面の各端面コート上には、前記六角柱レーザ素子から放射されるレーザ光により励起されて赤色、緑色、青色の蛍光をそれぞれ発する複数種類の蛍光体がそれぞれ塗布されており、
前記六角柱レーザ素子の６面に塗布された前記蛍光体からそれぞれ発せられる赤色、緑色、青色の蛍光を直接外部に放射させるか、または前記反射部材での反射によってその方向を変えて外部に放射させることにより、これらの蛍光が合成された白色光を外部に放射させることを特徴とする半導体レーザ装置。
【請求項２５】
請求項２４に記載の半導体レーザ装置において、
前記六角柱レーザ素子の６面の各端面コート上に、前記六角柱レーザ素子の対向面同士が同一色の蛍光を発するように前記複数種類の蛍光体がそれぞれ塗布されていることを特徴とする半導体レーザ装置。
【請求項２６】
両端からレーザ光が放射される少なくとも１つの半導体レーザ素子を有する半導体レーザ装置において、
前記半導体レーザ素子から半導体レーザ装置のステムの方向に向かって放射されるレーザ光を反射して外部に放射させる反射板が前記ステム上に備えられていることを特徴とする半導体レーザ装置。
【請求項２７】
半導体レーザ装置の製造方法であって、
半導体レーザ素子の両端面コートに蛍光体を塗布する第１塗布工程と、
前記第１塗布工程において両端面コートに蛍光体が塗布された半導体レーザ素子をサブマウント上にマウントする第１マウント工程とを備えることを特徴とする半導体レーザ装置の製造方法。
【請求項２８】
半導体レーザ装置の製造方法であって、
半導体レーザ素子の端面コートに赤色の蛍光を発する蛍光体を塗布する第２塗布工程と、
半導体レーザ素子の端面コートに緑色の蛍光を発する蛍光体を塗布する第３塗布工程と、
半導体レーザ素子の端面コートに青色の蛍光を発する蛍光体を塗布する第４塗布工程と、
前記第２塗布工程において赤色の蛍光を発する蛍光体が塗布された半導体レーザ素子と、前記第３塗布工程において緑色の蛍光を発する蛍光体が塗布された半導体レーザ素子と、前記第４塗布工程において青色の蛍光を発する蛍光体が塗布された半導体レーザ素子とをサブマウント上にマウントする第２マウント工程とを備えることを特徴とする半導体レーザ装置の製造方法。
【発明の詳細な説明】
【技術分野】
【０００１】
本発明は、半導体レーザ装置を用いるフラッシュ装置とそのようなフラッシュ装置を備えるカメラ、およびそのようなフラッシュ装置に用いられる半導体レーザ装置とその製造方法に関する。
【背景技術】
【０００２】
従来、検査装置やカメラなどに使用されているフラッシュ装置の光源としては、ハロゲンランプやキセノン管などがあった。このようなフラッシュ装置では、コンデンサを予め充電しておき、一度に放電させることでハロゲンランプやキセノン管を発光させることで強い照明光を得ている。しかし、ハロゲンランプやキセノン管では、寿命の短さ、発熱、消費電力の高さなどの問題があった。
【０００３】
そこで、消費電力が低くて長寿命である発光ダイオードを用いるとともに、発光ダイオードが点光源であることに起因する照度分布の不均一さを解消し得る照明装置が提案されている（例えば、特許文献１参照。）。
【０００４】
この照明装置は、ほぼ直方体状に形成され、それの光入射面及び該光入射面と対向する位置にある光出射面を除く４つの面に光反射面が形成された光反射体；該光反射体の光入射面に対向して各々の光軸が配置された複数の発光手段；前記光反射体の光出射面に対向する位置に設置された、光拡散手段；及び前記光反射体から出て前記光拡散手段を通った光を、直線偏光に変換する偏光板；を備えることを特徴とするものである。
【特許文献１】特開平８−２４７９２９号公報
【発明の開示】
【発明が解決しようとする課題】
【０００５】
しかしながら、上述の従来技術のように発光ダイオードを照明装置の光源として用いる場合、十分な光出力が得られないこともあった。
【０００６】
従来技術のこのような課題に鑑み、本発明の目的は、半導体レーザを使用することにより低消費電力、長寿命、高出力などを実現できるフラッシュ装置、フラッシュ装置を備えるカメラ、および半導体レーザ装置とその製造方法を提供することである。
【課題を解決するための手段】
【０００７】
上記目的を達成するため、本発明のフラッシュ装置は、カメラに用いられるフラッシュ装置であって、フラッシュ用光源として半導体レーザ装置が使用されることを特徴とする。
【０００８】
ここで半導体レーザ装置とは、例えば１つまたは複数の半導体レーザ素子（レーザダイオードチップなど）がパッケージに収められたものであるが、これに限るものではない。
【０００９】
この発明のフラッシュ装置によれば、半導体レーザを使用することにより低消費電力かつ長寿命で高出力の照明が可能になる。
【００１０】
また、本発明のフラッシュ装置において、このフラッシュ装置が用いられるカメラの撮像面の長手方向と、前記半導体レーザ装置から放射されるレーザ光のファーフィールドパターンの広い方向とが一致するように、前記半導体レーザ装置が配置されることを特徴としてもよい。さらに、このフラッシュ装置が用いられるカメラが、フィルムを標準サイズ画面またはハーフサイズ画面に切り換えて使用できるカメラであって、このカメラがフィルムをハーフサイズ画面に切り換えて使用する場合には、前記半導体レーザ装置から放射されるレーザ光がその光軸を中心として９０度回転させられ、ハーフサイズ画面の長手方向と前記レーザ光のファーフィールドパターンの広い方向とを一致させることを特徴としてもよい。
【００１１】
ここでカメラとは、例えばフィルムを使用するカメラやデジタルカメラなどが挙げられるが、これらに限るものではない。フィルムを使用するカメラの中には、フィルムを標準サイズ画面またはハーフサイズ画面に切り換え可能なものもある。また、半導体レーザ素子から放射されるレーザ光の強度分布は断面楕円状となるが、ニアフィールドパターン（近視野像）とファーフィールドパターン（遠視野像）とで方向による広がり方が異なる。すなわち、ニアフィールドパターンでは半導体レーザ素子の底面に平行な方向がより広いが、ファーフィールドパターンではこれとは逆に、半導体レーザ素子の底面と直交する方向により広くなる。したがって、例えばフィルムを標準サイズ画面として使用する場合、この標準サイズ画面の長辺側はフィルム側端に沿うように並ぶので、撮影範囲内を適切に照明するには、標準サイズ画面の長辺側とファーフィールドパターンの広い側を一致させればよい。このためには、フラッシュ装置内部において、半導体レーザ素子の底面がフィルム側端の方向と直交するように配置すればよいことになる。
【００１２】
この発明のフラッシュ装置によれば、このフラッシュ装置が用いられるカメラの撮像面の長手方向とレーザ光のファーフィールドパターンの広い方向とが一致するので、レーザ光を有効に利用することができる。これにより、撮影範囲内をできるだけ均一に照明することが可能になる。
【００１３】
また、本発明のフラッシュ装置において、前記半導体レーザ装置は、波長の異なる複数のレーザ光を放射することを特徴としてもよい。
【００１４】
ここで、半導体レーザ装置によって波長の異なる複数のレーザ光を放射させるには、例えば、半導体レーザ装置に複数の半導体レーザ素子を内蔵させればよい。これらの半導体レーザ素子は、それぞれ波長の異なるレーザ光を放射するものであってもよいし、少なくとも１つをモノリシック２波長レーザとしてもよいが、このような構成に限るものではない。また、半導体レーザ装置に内蔵させる複数の半導体レーザ素子は、半導体レーザ装置のパッケージ内で互いにできるだけ近接して配置されることが望ましい。
【００１５】
この発明のフラッシュ装置によれば、波長の異なる複数のレーザ光を組み合わせて合成することによりフラッシュ用として必要な白色光を得ることが可能となる。なお、半導体レーザ装置に内蔵させる複数の半導体レーザ素子を半導体レーザ装置のパッケージ内で互いにできるだけ近接して配置した場合には、より広い領域を白色光で照明することが可能になる。
【００１６】
また、本発明のフラッシュ装置において、前記半導体レーザ装置がパルス駆動されることを特徴としてもよい。
【００１７】
ここで、半導体レーザは可干渉性が強く、発光面も微視的に見れば波打った形状となっている。発光した光が波打った面にも反射されて、見た目にも光にゆらぎが発生し、複数のレーザ光を合成した際にむらのある色になってしまう可能性がある。
【００１８】
この発明のフラッシュ装置によれば、レーザをパルス駆動にすることにより可干渉性を抑えることができる。これにより、むらが抑えられた白色光を得ることができる。
【００１９】
また、本発明のフラッシュ装置において、前記半導体レーザ装置から放射されるレーザ光を均一に散乱させるレーザ光散乱部材を備えることを特徴としてもよい。
【００２０】
ここで、レーザ光散乱部材としては、例えば、Ａｇ粗膜で反射面が形成されている反射板が挙げられるが、これに限るものではない。
【００２１】
この発明のフラッシュ装置によれば、半導体レーザ装置から放射されるレーザ光が均一に散乱させられるので、広い範囲をできるだけ均一に照明することが可能になるとともに、人体に対する安全性を確保することができる。
【００２２】
また、本発明のフラッシュ装置において、前記半導体レーザ装置から放射されるレーザ光により励起されて赤色、緑色、青色の蛍光をそれぞれ発する複数種類の蛍光体が、前記反射板に塗布されていることを特徴としてもよい。
【００２３】
ここで、複数種類の蛍光体は、例えば、所定順序の繰り返しでストライプ状に塗布されていてもよい。その場合、半導体レーザ装置から放射されるレーザ光のファーフィールドパターンの広い方向と、複数種類の蛍光体のそれぞれが塗布されているストライプ状領域の伸びる方向とを一致させておくことが望ましい。
【００２４】
この発明のフラッシュ装置によれば、反射板に塗布された複数種類の蛍光体がレーザ光によって励起されて赤色、緑色、青色の蛍光をそれぞれ発し、これらの蛍光が合成されて白色光が得られる。これにより、例えば青色などの単一波長のレーザ光からフラッシュ用の白色光を得ることが可能となる。なお、複数種類の蛍光体を所定順序の繰り返しでストライプ状に塗布するとともに、このストライプ状領域の伸びる方向とレーザ光のファーフィールドパターンの広い方向とを一致させた場合には、レーザ光を有効に使用できて白色発光の領域を広く取ることが可能になる。
【００２５】
また、本発明のフラッシュ装置において、前記半導体レーザ装置は、六角柱レーザ素子を有していることを特徴としてもよい。あるいはさらに、前記半導体レーザ装置が複数の反射部材を有し、前記六角柱レーザ素子の６面それぞれから放射されるレーザ光を直接外部に放射させるか、または前記反射部材での反射によってその方向を変えて外部に放射させることにより、前記六角柱レーザ素子の６面それぞれから放射されるレーザ光をすべて外部に放射させるようにしてもよい。
【００２６】
ここで、六角柱レーザ素子としては、例えば青色サファイヤ六角柱レーザが挙げられるが、これに限るものではない。また、反射部材とは、例えば、反射板にミラー機能を持たせた放射方向収束ミラーである。
【００２７】
この発明のフラッシュ装置によれば、レーザ発振の効率が高い六角柱レーザ素子を使用するとともに、この六角柱レーザ素子の６面から放射されるレーザ光をすべて有効に利用できる。これにより、さらに高出力あるいは低消費電力の照明を実現することが可能となる。
【００２８】
また、本発明のフラッシュ装置において、前記半導体レーザ装置は、複数の反射部材を有するとともに、前記六角柱レーザ素子の６面の各端面コート上には、前記六角柱レーザ素子から放射されるレーザ光により励起されて赤色、緑色、青色の蛍光をそれぞれ発する複数種類の蛍光体がそれぞれ塗布されており、前記六角柱レーザ素子の６面に塗布された前記蛍光体からそれぞれ発せられる赤色、緑色、青色の蛍光を直接外部に放射させるか、または前記反射部材での反射によってその方向を変えて外部に放射させることにより、これらの蛍光が合成された白色光を外部に放射させることを特徴としてもよい。
【００２９】
ここで、前記六角柱レーザ素子の６面の各端面コート上には、例えば、前記六角柱レーザ素子の対向面同士が同一色の蛍光を発するように前記複数種類の蛍光体がそれぞれ塗布されるようにしておけばよい。
【００３０】
この発明のフラッシュ装置によれば、レーザ発振の効率が高い六角柱レーザ素子を使用するとともに、この六角柱レーザ素子の６面から放射されるレーザ光により蛍光体が励起されて赤色、緑色、青色の蛍光が発せられ、それらの蛍光が合成されて白色光が得られる。これにより、さらに高出力あるいは低消費電力の白色光照明を実現することが可能となる。
【００３１】
また、本発明のフラッシュ装置において、前記半導体レーザ装置は少なくとも１つの半導体レーザ素子を有し、この半導体レーザ素子の両端面コート上に、同一色の蛍光を発する蛍光体がそれぞれ塗布されていることを特徴としてもよい。
【００３２】
ここで、半導体レーザ素子には両端からレーザ光が出るという性質があり、両端面の端面コートの反射率を同一にすることで、両側の発光面から１：１の比率でレーザ光が放射される。
【００３３】
この発明のフラッシュ装置によれば、半導体レーザ素子の両端面から放射されるレーザ光をともに有効に利用して、端面に塗布されている蛍光体により蛍光を発することができる。
【００３４】
また、本発明のフラッシュ装置において、前記半導体レーザ装置は、端面コート上に赤色の蛍光を発する蛍光体が塗布されている第１半導体レーザ素子と、端面コート上に緑色の蛍光を発する蛍光体が塗布されている第２半導体レーザ素子と、端面コート上に青色の蛍光を発する蛍光体が塗布されている第３半導体レーザ素子とを有していることを特徴としてもよい。
【００３５】
ここで、第１半導体レーザ素子、第２半導体レーザ素子、および第３半導体レーザ素子はそれぞれ１つに限るものではなく、２つ以上であってもよい。また、これらは半導体レーザ装置の１つのパッケージ内に互いに近接して配置されることが望ましい。
【００３６】
この発明のフラッシュ装置によれば、それぞれの半導体レーザ素子から赤色、緑色、青色の蛍光が発せられるので、これらの蛍光を合成して白色光を得ることができる。なお、それぞれの半導体レーザ素子をパッケージ内で互いにできるだけ近接して配置した場合には、より広い領域を白色光で照明することが可能になる。
【００３７】
あるいは、上記目的を達成するため、本発明のカメラは、上記のような特徴を有するいずれかのフラッシュ装置を備えるカメラである。
【００３８】
この発明のカメラによれば、低消費電力かつ長寿命で高出力の照明が可能なフラッシュ装置を備えているので、カメラのフラッシュ撮影性能を向上させることができる。
【００３９】
あるいは、上記目的を達成するため、本発明の半導体レーザ装置は、六角柱レーザ素子と複数の反射部材とを有する半導体レーザ装置であって、前記六角柱レーザ素子の６面それぞれから放射されるレーザ光を直接外部に放射させるか、または前記反射部材での反射によってその方向を変えて外部に放射させることにより、前記六角柱レーザ素子の６面それぞれから放射されるレーザ光をすべて外部に放射させることを特徴とする。
【００４０】
この発明の半導体レーザ装置によれば、レーザ発振の効率が高い六角柱レーザ素子を使用するとともに、この六角柱レーザ素子の６面から放射されるレーザ光をすべて有効に利用できる。これにより、高出力・低消費電力の光源を実現できる。
【００４１】
あるいは、上記目的を達成するため、本発明の半導体レーザ装置は、六角柱レーザ素子と複数の反射部材とを有する半導体レーザ装置であって、前記六角柱レーザ素子の６面の各端面コート上には、前記六角柱レーザ素子から放射されるレーザ光により励起されて赤色、緑色、青色の蛍光をそれぞれ発する複数種類の蛍光体がそれぞれ塗布されており、前記六角柱レーザ素子の６面に塗布された前記蛍光体からそれぞれ発せられる赤色、緑色、青色の蛍光を直接外部に放射させるか、または前記反射部材での反射によってその方向を変えて外部に放射させることにより、これらの蛍光が合成された白色光を外部に放射させることを特徴とする。さらに、前記六角柱レーザ素子の６面の各端面コート上に、前記六角柱レーザ素子の対向面同士が同一色の蛍光を発するように前記複数種類の蛍光体がそれぞれ塗布されていることを特徴としてもよい。
【００４２】
この発明の半導体レーザ装置によれば、レーザ発振の効率が高い六角柱レーザ素子を使用するとともに、この六角柱レーザ素子の６面から放射されるレーザ光により蛍光体が励起されて赤色、緑色、青色の蛍光が発せられ、それらの蛍光が合成されて白色光が得られる。これにより、高出力・低消費電力の白色光源を実現できる。
【００４３】
あるいは、上記目的を達成するため、本発明の半導体レーザ装置は、両端からレーザ光が放射される少なくとも１つの半導体レーザ素子を有する半導体レーザ装置において、前記半導体レーザ素子から半導体レーザ装置のステムの方向に向かって放射されるレーザ光を反射して外部に放射させる反射板が前記ステム上に備えられていることを特徴とする。
【００４４】
この発明の半導体レーザ装置によれば、半導体レーザ素子の両端から放射されるレーザ光を有効に利用できる。これにより、高出力・低消費電力の光源を実現できる。
【００４５】
あるいは、上記目的を達成するため、本発明の半導体レーザ装置の製造方法は、半導体レーザ装置の製造方法であって、半導体レーザ素子の両端面コートに蛍光体を塗布する第１塗布工程と、前記第１塗布工程において両端面コートに蛍光体が塗布された半導体レーザ素子をサブマウント上にマウントする第１マウント工程とを備えることを特徴とする。
【００４６】
この発明の半導体レーザ装置の製造方法によれば、半導体レーザ素子の両端面から放射されるレーザ光をともに有効に利用して、端面に塗布されている蛍光体により蛍光を発することができる半導体レーザ装置を製造することができる。
【００４７】
あるいは、上記目的を達成するため、本発明の半導体レーザ装置の製造方法は、半導体レーザ装置の製造方法であって、半導体レーザ素子の端面コートに赤色の蛍光を発する蛍光体を塗布する第２塗布工程と、半導体レーザ素子の端面コートに緑色の蛍光を発する蛍光体を塗布する第３塗布工程と、半導体レーザ素子の端面コートに青色の蛍光を発する蛍光体を塗布する第４塗布工程と、前記第２塗布工程において赤色の蛍光を発する蛍光体が塗布された半導体レーザ素子と、前記第３塗布工程において緑色の蛍光を発する蛍光体が塗布された半導体レーザ素子と、前記第４塗布工程において青色の蛍光を発する蛍光体が塗布された半導体レーザ素子とをサブマウント上にマウントする第２マウント工程とを備えることを特徴とする。
【００４８】
この発明の半導体レーザ装置の製造方法によれば、それぞれの半導体レーザ素子から発せられる赤色、緑色、青色の蛍光が合成されて白色光が得られる半導体レーザ装置を製造することができる。なお、それぞれの半導体レーザ素子をパッケージ内で互いにできるだけ近接してマウントした場合には、より広い領域を照明可能な白色光を発する半導体レーザ装置を製造することができる。
【発明の効果】
【００４９】
本発明のフラッシュ装置によれば、半導体レーザを使用することにより低消費電力かつ長寿命で高出力の照明が可能になる。
【００５０】
また、本発明のカメラによれば、低消費電力かつ長寿命で高出力の照明が可能なフラッシュ装置を備えているので、カメラのフラッシュ撮影性能を向上させることができる。
【００５１】
また、本発明の半導体レーザ装置によれば、高出力・低消費電力の光源を実現できる。
【００５２】
また、本発明の半導体レーザ装置の製造方法によれば、高出力・低消費電力の光源を実現できる半導体レーザ装置を製造することができる。
【発明を実施するための最良の形態】
【００５３】
以下、本発明の実施の形態を、図面を参照して説明する。
【００５４】
＜第１実施形態＞
図１は本発明の第１実施形態に係るフラッシュ装置１に使用される半導体レーザ装置１０の内部構造の概略図であり、フィルムの標準サイズ画面に対応する撮影領域を照明するための配置状態を示している。
【００５５】
図１に示すように、半導体レーザ装置１０の円形状のステム１４において、板状のサブマウント１３（ヒートシンク）が垂直に配置されている。サブマウント１３上部の一方の側面には、青レーザチップ１１がマウントされ、この青レーザチップ１１断面内の青レーザ発光点１１ａから青色レーザ光（波長４５０ｎｍ、ＧａＮ）が放射される。サブマウント１３の青レーザチップ１１がマウントされている側面には、さらに赤・赤外２波長モノリシックレーザ１２が青レーザチップ１１のやや下方にマウントされている。この赤・赤外２波長モノリシックレーザ１２断面内の赤外レーザ発光点１２ａからは赤外レーザ光（７９０ｎｍ、ＧａＡｓ）が放射され、赤レーザ発光点１２ｂからは赤色レーザ光（６５７ｎｍ、ＩｎＧａＡｌＰ）が放射される。
【００５６】
なお、青レーザチップ１１と赤・赤外２波長モノリシックレーザ１２とはできるだけ近接してマウントされていることが望ましい。
【００５７】
図２は本発明の第１実施形態に係るフラッシュ装置１に使用される半導体レーザ装置１０によるレーザ光照射パターンとフィルム２０の標準サイズ画面２０ａとの関係の説明図である。図３は本発明の第１実施形態に係るフラッシュ装置１を備えるカメラ２の外観図であり、フィルム２０を標準サイズ画面２０ａで使用する場合のフラッシュ光照射パターン３を示している。
【００５８】
青レーザチップ１１の青レーザ発光点１１ａから放射される青色レーザ光のニアフィールドパターンは垂直方向に広い楕円状であるが、ファーフィールドパターン１１ａ１は図２に示すように水平方向に広い楕円状となる。同様に、赤・赤外２波長モノリシックレーザ１２の赤外レーザ発光点１２ａから放射される赤外レーザ光のファーフィールドパターン１２ａ１、および赤レーザ発光点１２ｂから放射される赤色レーザ光のファーフィールドパターン１２ｂ１もそれぞれ水平方向に広い楕円状となる。フィルム２０を標準サイズ画面２０ａで使用する場合は、標準サイズ画面２０ａの長辺側がフィルム２０側端に沿うように並ぶので、水平方向の方が長い。そのため、標準サイズ画面２０ａに対応する撮影範囲内をできるだけ均一に照明するためには、上述のような水平方向に広い楕円状のファーフィールドパターンが適切である。
【００５９】
図３に示すカメラ２は、このような半導体レーザ装置１０を内蔵するフラッシュ装置１を備えたものである。フィルム２０を標準サイズ画面２０ａで使用する場合は、上述のように各レーザ光のファーフィールドパターンが水平方向に広い楕円状となるようにしておく。これによって、フラッシュ装置１からのフラッシュ光照射パターン３は、断面が水平方向に広い楕円錐状（フラッシュ装置１をその頂点とする）となり、標準サイズ画面２０ａに対応する撮影範囲内をできるだけ均一に照明することが可能になる。
【００６０】
なお、このカメラ２は、不図示の切り換えボタンを操作することにより、フィルム２０を標準サイズ画面２０ａまたはハーフサイズ画面２０ｂ（図５参照）に切り換えて使用できるように構成されている。この切り換え機構は、例えば電動式でもよいし、機械式であってもよい。また、この画面切り換えに連動して、フラッシュ装置１に内蔵されている半導体レーザ装置１０もその中心を回転軸として９０度回転させるようにしておく。
【００６１】
図４は本発明の第１実施形態に係るフラッシュ装置１に使用される半導体レーザ装置１０の内部構造の概略図であり、フィルムのハーフサイズ画面に対応する撮影領域を照明するための配置状態を示している。図５は本発明の第１実施形態に係るフラッシュ装置１に使用される半導体レーザ装置１０によるレーザ光照射パターンとフィルム２０のハーフサイズ画面２０ｂとの関係の説明図である。図６は本発明の第１実施形態に係るフラッシュ装置１を備えるカメラ２の外観図であり、フィルム２０をハーフサイズ画面２０ｂで使用する場合のフラッシュ光照射パターン３を示している。
【００６２】
図４に示した半導体レーザ装置１０の配置状態は、カメラ２においてフィルム２０をハーフサイズ画面２０ｂとして使用する場合のものであり、図１に示した配置状態から反時計回りに９０度回転した状態である。なお、半導体レーザ装置１０内の各構成要素の相対的な位置関係は図１の場合と変わりない。
【００６３】
このときは、図５に示すように、青レーザチップ１１の青レーザ発光点１１ａから放射される青色レーザ光のファーフィールドパターン１１ａ１は垂直方向に広い楕円状となる。同様に、赤・赤外２波長モノリシックレーザ１２の赤外レーザ発光点１２ａから放射される赤外レーザ光のファーフィールドパターン１２ａ１、および赤レーザ発光点１２ｂから放射される赤色レーザ光のファーフィールドパターン１２ｂ１もそれぞれ垂直方向に広い楕円状となる。フィルム２０をハーフサイズ画面２０ｂで使用する場合は、ハーフサイズ画面２０ｂの短辺側がフィルム２０側端に沿うように並ぶので、垂直方向の方が長い。そのため、ハーフサイズ画面２０ｂに対応する撮影範囲内をできるだけ均一に照明するためには、上述のような垂直方向に長い楕円状のファーフィールドパターンが適切である。
【００６４】
このようにすることで、カメラ２が備えるフラッシュ装置１からのフラッシュ光照射パターン３は、図６に示すように、断面が垂直方向に広い楕円錐状（フラッシュ装置１をその頂点とする）となり、ハーフサイズ画面２０ｂに対応する撮影範囲内をできるだけ均一に照明することが可能になる。
【００６５】
図７は複数色の光を合成してフラッシュ用の白色光を作る原理の説明図である。
【００６６】
図７に示すように、楕円状の青色光パターン２１ａと緑色光パターン２１ｂと赤色光パターン２１ｃとが存在しているとき、３つのパターンの光が重なり合う領域（斜線部）では、光の三原色である青色・緑色・赤色それぞれの光の合成によって白色光パターン２１ｄが得られる。本発明のように半導体レーザを使用するフラッシュ装置においても同様に、波長の異なる複数のレーザ光を合成することにより白色光を得ることが可能になる。
【００６７】
なお、この白色光パターン２１ｄによってできるだけ広い範囲をなるべく均一に照明するためには、青色光パターン２１ａと緑色光パターン２１ｂと赤色光パターン２１ｃとの中心を互いにできるだけ近接させることで３つのパターンの光が重なり合う領域を広げておくことが望ましい。
【００６８】
また、半導体レーザは可干渉性が強く、発光面も微視的に見れば波打った形状となっている。発光した光が波打った面にも反射されて、見た目にも光にゆらぎが発生し、複数のレーザ光を合成した際にむらのある色になってしまう可能性がある。そこで、このような問題を回避するため、例えばレーザをパルス駆動にすることにより可干渉性を抑える方法を取ってもよい。あるいは、可干渉性の低いレーザの搭載により、複数のレーザ光の合成後のむらを抑えるという方法も挙げられるが、これらの方法に限るものではない。レーザをパルス駆動する場合、レーザ駆動回路によってパルス周期を変更すれば、カメラ２のシャッター（不図示）の開いている時間（例えば、１／１００秒）に応じて対応できる。
【００６９】
図８は半導体レーザ装置におけるレーザチップの配置例であり、（ａ）は青、赤外、赤、それぞれ個別のレーザチップを使用する場合を示し、（ｂ）は青レーザチップと赤・赤外２波長モノリシックレーザを使用する場合を示している。なお、これらの図では、各レーザチップおよびサブマウントのみを図示している。
【００７０】
図８（ａ）に示した配置例では、サブマウント３０上に青レーザ発光点３１ａを有する青レーザチップ３１と、赤外レーザ発光点３２ａを有する赤外レーザチップ３２と、赤レーザ発光点３３ａを有する赤レーザチップ３３とがこの順に近接してマウントされている。一方、図８（ｂ）に示した配置例では、サブマウント３０上に青レーザ発光点３４ａを有する青レーザチップ３４と、赤外レーザ発光点３５ａおよび赤レーザ発光点３５ｂを有する赤・赤外２波長モノリシックレーザ３５とが近接してマウントされている。３つのレーザビームの発光点の距離は、図８（ａ）の配置例では青レーザ発光点３１ａと赤レーザ発光点３３ａ間の距離ｄ１であり、図８（ｂ）の配置例では青レーザ発光点３４ａと赤レーザ発光点３５ｂ間の距離ｄ２である。
【００７１】
青レーザチップ３４の青レーザ発光点３４ａ発光点は、レーザチップの幅方向の中心付近ではなく端に寄せて配置されており、また、赤外および赤については個別のレーザチップではなく赤・赤外２波長モノリシックレーザ３５が用いられている。このため、距離ｄ２の方が距離ｄ１よりも短くなっている。したがって、図７を参照して説明したように、図８（ｂ）の配置例によって得られる白色光の方がより広い領域を照明することができるということになる。
【００７２】
図９は半導体レーザから放射されるレーザ光束を反射板によって散乱させる原理の説明図である。
【００７３】
半導体レーザなどのレーザ光は出力が非常に強いため、レーザ光に直接触れたり、直視したりすると、人体に悪影響を与える可能性がある。そのため、人の目に触れるフラッシュ光として使用する場合には、レーザ光を何らかの方法により散乱させて危険がないようにする必要がある。
【００７４】
これには、例えば図９に示すように、サブマウント３０上にマウントされたレーザチップ３６から放射されるレーザ光束３７をＡｇ粗膜で形成された反射板３８で散乱させるようにすればよい。なお、レーザ光の散乱に使用するものは上記反射板３８に限るものではなく、他の拡散部材や散乱方法を代わりに使用してもよい。
【００７５】
このようにすることで、レーザ光束３７が反射板３８で散乱されられて散乱光３９となり、人体に危険のない光とすることができる。
【００７６】
＜第２実施形態＞
第１実施形態では、半導体レーザ装置からの異なる波長の複数のレーザ光を合成して白色光を得るとともに、その白色光を反射板などによって散乱させることによりフラッシュ光としていた。第２実施形態は、赤色・緑色・青色それぞれに発光する３種類の蛍光体を反射板に塗布することによって単一波長のレーザ光から白色光を得るものである。なお、次に述べる点を除いては第１実施形態と同一であるので、相違点のみについて説明する。
【００７７】
図１０は本発明の第２実施形態に係るフラッシュ装置に使用されるレーザ光散乱用の反射板の一例の概略図であり、（ａ）は反射板４０全体を示し、（ｂ）はその一部４０ａを拡大したものである。図１１は本発明の第２実施形態に係るフラッシュ装置に使用されるレーザ光散乱用の反射板の他の例の概略図であり、（ａ）は反射板４１全体を示し、（ｂ）はその一部４１ａを拡大したものである。
【００７８】
図１０（ａ）および（ｂ）に示すように、反射板４０の表面には、このフラッシュ装置に使用されている半導体レーザ装置の単一波長のレーザ光（例えば青色レーザ光）によって赤色・緑色・青色それぞれに発光する３種類の蛍光体が縦方向の極めて細いストライプ状に塗布されている。また、図１１（ａ）および（ｂ）に示すように、反射板４１の表面には、同じ３種類の蛍光体が横方向の極めて細いストライプ状に塗布されている。
【００７９】
これらの蛍光体はレーザ光によって励起されてそれぞれ赤色・緑色・青色に発光し、これらの蛍光が合成されることにより白色光が得られる。
【００８０】
図１２は本発明の第２実施形態に係るフラッシュ装置に使用されるレーザ光散乱用の反射板４０における蛍光体の塗布方向とのレーザ光のファーフィールドパターン４２との関係の説明図であり、（ａ）は反射板４０全体を示し、（ｂ）はその一部４０ａを拡大したものである。
【００８１】
図２および図５を参照して説明したように、レーザ光のファーフィールドパターンは楕円状である。そのため、ファーフィールドパターンと反射板表面に塗布されたストライプ状の蛍光体の伸びる方向との関係は大きく２つの場合があり得る。すなわち、蛍光体の伸びる方向に対して、ファーフィールドパターンの広い方向が並行になる場合と、直交する場合である。このうち、レーザ光を有効に使用できて白色発光の領域を広く取ることができるのは、図１２（ａ）および（ｂ）に示すように、蛍光体の伸びる方向に対してファーフィールドパターン４２の広い方向が並行になる場合である。
【００８２】
なお、本発明の第２実施形態に係るフラッシュ装置を備えるカメラが、フィルムを標準サイズ画面あるいはハーフサイズ画面のいずれとして使用するかを切り換えることができるように構成されている場合、この画面切り換えに連動して、フラッシュ装置に内蔵されている半導体レーザ装置および反射板４０も９０度回転させるようにしておくことが望ましい。このようにすることで、フィルムを標準サイズ画面あるいはハーフサイズ画面のいずれとして使用する場合でも、レーザ光を有効に使用することができる。
【００８３】
＜第３実施形態＞
第３実施形態は青色サファイヤ六角柱レーザを使用し、この青色レーザ光と、この青色レーザ光に励起されて赤色・緑色それぞれに発光する２種類の蛍光体による蛍光を合成することにより白色光を得るものである。なお、次に述べる点を除いては第２実施形態と同一であるので、相違点のみについて説明する。
【００８４】
図１３は本発明の第３実施形態に係るフラッシュ装置に使用される青色サファイヤ六角柱レーザ５０の概略図である。
【００８５】
図１３に示すように、青色サファイヤ六角柱レーザ５０は六角柱形状をしており、サファイヤ基板上でＧａＮを形成することによって得られる六方晶構造を有する結晶である。この青色サファイヤ六角柱レーザ５０の隣接する３面から青色レーザ光５１ａ、５２ａ、５３ａが放射されるとともに、これらの３面にそれぞれ対向する面からも青色レーザ光５１ｂ、５２ｂ、５３ｂが放射される。すなわち、この青色サファイヤ六角柱レーザ５０の６面からそれぞれ青色レーザ光が放射される。
【００８６】
図１４は本発明の第３実施形態に係るフラッシュ装置に使用される半導体レーザ装置６０の内部構造の概略図である。
【００８７】
図１４に示すように、半導体レーザ装置６０は箱形のパッケージ６１を有しており、このパッケージ６１の中央部に青色サファイヤ六角柱レーザ５０が配置されている。また、パッケージ６１の両側側面には、Ａｇ粗膜が塗布されることにより反射板６５がそれぞれ形成されている。
【００８８】
パッケージ６１上部内面の２ヶ所には、反射板にミラー機能を持たせた放射方向収束ミラー６２がそれぞれ配置され、青色サファイヤ六角柱レーザ５０からパッケージ６１上部方向に放射される青色レーザ光５１ａおよび５３ｂはそれぞれパッケージ６１側面中心に向けて反射される。同様に、パッケージ６１下部内面の２ヶ所にも放射方向収束ミラー６２がそれぞれ配置され、青色サファイヤ六角柱レーザ５０からパッケージ６１下部方向に放射される青色レーザ光５３ａおよび５１ｂもそれぞれパッケージ６１側面中心に向けて反射される。青色レーザ光５１ａの反射光５１ａ１の光路上、および青色レーザ光５３ｂの反射光５３ｂ１の光路上にはそれぞれ赤蛍光体が塗布された基板６３が配置されている。これらの基板６３に塗布されている赤蛍光体は、反射光５１ａ１および反射光５３ｂ１によってそれぞれ励起されて赤色の蛍光を発し、この赤色の蛍光がパッケージ６１両側面中心にそれぞれ到達する。同様に、青色レーザ光５３ａの反射光５３ａ１の光路上、および青色レーザ光５１ｂの反射光５１ｂ１の光路上にはそれぞれ緑蛍光体が塗布された基板６４が配置されている。これらの基板６４に塗布されている緑蛍光体は、反射光５３ａ１および反射光５１ｂ１によってそれぞれ励起されて緑色の蛍光を発し、この緑色の蛍光がパッケージ６１両側の側面中心にそれぞれ到達する。
【００８９】
したがって、パッケージ６１両側の側面中心には、青色サファイヤ六角柱レーザ５０から直接放射される青色レーザ光５２ａまたは５２ｂと、基板６３からの赤色の蛍光と、基板６４からの緑色の蛍光とが到達し、これらの光が合成されて白色光となる。さらに、この白色光がパッケージ６１両側面に形成されている反射板６５によって散乱させられ、白色散乱光５４ａおよび５４ｂとなって外部に放射される。
【００９０】
以上で説明した第３実施形態の構成によれば、青色サファイヤ六角柱レーザ５０はレーザ発振の効率が高いので、フラッシュ装置のフラッシュ用光源として用いることにより、さらに高出力あるいは低消費電力の照明を実現することが可能となる。
【００９１】
＜第４実施形態＞
第４実施形態は青色サファイヤ六角柱レーザを使用し、この青色レーザ光に励起されて赤色・緑色・青色それぞれに発光する３種類の蛍光体による蛍光を合成することにより白色光を得るものである。なお、次に述べる点を除いては第３実施形態と同一であるので、相違点のみについて説明する。
【００９２】
図１５は本発明の第４実施形態に係るフラッシュ装置に使用される半導体レーザ装置７０の内部構造の概略図である。なお、半導体レーザ装置７０は、第３実施形態の半導体レーザ装置６０（図１４参照）の構成の一部のみを変更したものである。
【００９３】
図１５に示すように、半導体レーザ装置７０のパッケージ６１の中央部に青色サファイヤ六角柱レーザ５０が配置されている。この青色サファイヤ六角柱レーザ５０の各端面には、赤色・緑色・青色それぞれに発光する３種類の蛍光体が、対向する端面同士が同じ種類の蛍光体となるようにコートされている。すなわち、端面５０ａ１および端面５０ａ２には赤蛍光体がコートされ、端面５０ｂ１および端面５０ｂ２には青蛍光体がコートされ、端面５０ｃ１および端面５０ｃ２には緑蛍光体がコートされている。
【００９４】
青色サファイヤ六角柱レーザ５０の６面から青色レーザ光が放射されると、端面５０ａ１および５０ａ２から赤色の蛍光７１ａおよび７１ｂがそれぞれ放射され、放射方向収束ミラー６２によって反射された反射光７１ａ１および７１ｂ１がパッケージ６１両側面中心にそれぞれ到達する。端面５０ｂ１および５０ｂ２からは青色の蛍光７３ａおよび７３ｂがそれぞれ放射され、そのままパッケージ６１両側面中心にそれぞれ到達する。端面５０ｃ１および５０ｃ２からは緑色の蛍光７３ａおよび７３ｂがそれぞれ放射され、放射方向収束ミラー６２によって反射された反射光７３ａ１および７３ｂ１がパッケージ６１両側面中心にそれぞれ到達する。
【００９５】
したがって、パッケージ６１両側の側面中心には、赤色・緑色・青色の３色の蛍光が到達し、これらの光が合成されて白色光となる。さらに、この白色光がパッケージ６１両側面に形成されている反射板６５によって散乱させられ、半導体レーザ装置６０の場合と同様に白色散乱光５４ａおよび５４ｂとなって外部に放射される。
【００９６】
＜第５実施形態＞
図１６は本発明の第５実施形態に係るフラッシュ装置に使用される半導体レーザ装置内部のレーザチップ８０の概略図である。図１７は本発明の第５実施形態に係るフラッシュ装置に使用される半導体レーザ装置内部の概略図である。なお、次に述べる点を除いては第１実施形態と同一であるので、相違点のみについて説明する。
【００９７】
図１６に示すように、レーザチップ８０は両端面からレーザ光を放射できる角棒状のものであり、レーザチップ８０両端面には蛍光体８１が塗布されている。ここで、この蛍光体８１は、赤色、青色、または緑色のいずれかの蛍光を発するものである。
【００９８】
この実施形態は、レーザチップ８０の両端面からレーザ光が放射されるという性質を利用したものであり、両側の端面の端面コートの反射率を同一にすることで、両側の発光面から１：１の比率でレーザ光が放射される。なお、ここでいう端面コートとは、レーザに施すコートのことであり、蛍光体とは異なる。また、端面コートすること自体は、公知の事実である。
【００９９】
このようなレーザチップ８０の構成により、レーザチップ８０の両端面から蛍光体の種類に応じた蛍光を放射させることができる。蛍光体の種類を変更すれば、放射させる蛍光の色を変更することも可能である。
【０１００】
また、端面に塗布する蛍光体の種類を異ならせたレーザチップを複数使用することにより、白色光を得ることができる。例えば、図１７に示すように、赤蛍光体８２が端面に塗布されたレーザチップ８０ａと、青蛍光体８３が端面に塗布されたレーザチップ８０ｂと、緑蛍光体８４が端面に塗布されたレーザチップ８０ｃとを、サブマウント８５上に互いに近接してマウントするような構成とすればよい。
【０１０１】
なお、レーザチップ８０ａ、８０ｂ、および８０ｃはそれぞれの端面内でのレーザ発光点の位置が異なるものであり、３つの発光点の間隔が最小となるようにこれらのレーザチップを配置している。また、３種類の蛍光体をいずれのレーザチップにそれぞれ塗布するかは任意であり、図１７に図示したものと同じ順番に並べる必要はない。レーザチップの配置数も３に限るものではなく、例えばさらに増やしてもよい。
【０１０２】
＜第６実施形態＞
図１８は本発明の第６実施形態に係るフラッシュ装置に使用される半導体レーザ装置９０の内部構造の概略図である。なお、次に述べる点を除いては第１実施形態と同一であるので、同じ構成部材には同じ参照符号を付すこととし、相違点のみについて説明する。
【０１０３】
図１８に示すように、半導体レーザ装置９０の円形状のステム１４上には、ステム１４より小さい円形状の反射板９１が同心配置されている。この反射板９１により、サブマウント１３にマウントされている青レーザチップ１１および赤・赤外２波長モノリシックレーザ１２の背面側から放射されるレーザ光がそれぞれ反射・散乱させられる。
【０１０４】
このような構成により、レーザチップの正面側から放射されるレーザ光だけでなく、背面側から放射されるレーザ光も有効に利用できるので、フラッシュ装置のフラッシュ用光源として用いることにより、より高出力あるいは低消費電力の照明を実現することが可能となる。
【０１０５】
＜第７実施形態＞
図１９は本発明の第７実施形態に係るフラッシュ装置に使用される半導体レーザ装置９２の内部構造の概略図である。なお、次に述べる点を除いては第６実施形態と同一であるので、同じ構成部材には同じ参照符号を付すこととし、相違点のみについて説明する。
【０１０６】
図１９に示すように、半導体レーザ装置９２のサブマウント１３には、２つの青色２チャンネルモノリシックレーザ９３が互いに近接してマウントされている。これらの青色２チャンネルモノリシックレーザ９３の背面側から放射されるレーザ光も、ステム１４上に配置されている反射板９１によってそれぞれ反射・散乱させられる。
【０１０７】
このような構成により、青色レーザ光の出力を向上させるとともに、レーザ発光点間距離を小さくして均一性の良好な白色光源を作ることができる。また、レーザチップの両面から放射されるレーザ光をともに有効利用できるので、フラッシュ装置のフラッシュ用光源として用いることにより、一層高出力あるいは低消費電力の照明を実現することが可能となる。
【０１０８】
なお、本発明は、その精神または主要な特徴から逸脱することなく、他のいろいろな形で実施することができる。そのため、上述の実施形態はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【図面の簡単な説明】
【０１０９】
【図１】本発明の第１実施形態に係るフラッシュ装置に使用される半導体レーザ装置の内部構造の概略図であり、フィルムの標準サイズ画面に対応する撮影領域を照明するための配置状態を示している。
【図２】本発明の第１実施形態に係るフラッシュ装置に使用される半導体レーザ装置によるレーザ光照射パターンとフィルムの標準サイズ画面との関係の説明図である。
【図３】本発明の第１実施形態に係るフラッシュ装置を備えるカメラの外観図であり、フィルムを標準サイズ画面で使用する場合のフラッシュ光照射パターンを示している。
【図４】本発明の第１実施形態に係るフラッシュ装置に使用される半導体レーザ装置の内部構造の概略図であり、フィルムのハーフサイズ画面に対応する撮影領域を照明するための配置状態を示している。
【図５】本発明の第１実施形態に係るフラッシュ装置に使用される半導体レーザ装置によるレーザ光照射パターンとフィルムのハーフサイズ画面との関係の説明図である。
【図６】本発明の第１実施形態に係るフラッシュ装置を備えるカメラの外観図であり、フィルムをハーフサイズ画面で使用する場合のフラッシュ光照射パターンを示している。
【図７】複数色の光を合成してフラッシュ用の白色光を作る原理の説明図である。
【図８】半導体レーザ装置におけるレーザチップの配置例であり、（ａ）は青、赤外、赤、それぞれ個別のレーザチップを使用する場合を示し、（ｂ）は青レーザチップと赤・赤外２波長モノリシックレーザを使用する場合を示している。
【図９】半導体レーザから放射されるレーザ光束を反射板によって散乱させる原理の説明図である。
【図１０】本発明の第２実施形態に係るフラッシュ装置に使用されるレーザ光散乱用の反射板の一例の概略図であり、（ａ）は反射板全体を示し、（ｂ）はその一部を拡大したものである。
【図１１】本発明の第２実施形態に係るフラッシュ装置に使用されるレーザ光散乱用の反射板の他の例の概略図であり、（ａ）は反射板全体を示し、（ｂ）はその一部を拡大したものである。
【図１２】本発明の第２実施形態に係るフラッシュ装置に使用されるレーザ光散乱用の反射板における蛍光体の塗布方向とのレーザ光のファーフィールドパターンとの関係の説明図であり、（ａ）は反射板全体を示し、（ｂ）はその一部を拡大したものである。
【図１３】本発明の第３実施形態に係るフラッシュ装置に使用される青色サファイヤ六角柱レーザの概略図である。
【図１４】本発明の第３実施形態に係るフラッシュ装置に使用される半導体レーザ装置の内部構造の概略図である。
【図１５】本発明の第４実施形態に係るフラッシュ装置に使用される半導体レーザ装置の内部構造の概略図である。
【図１６】本発明の第５実施形態に係るフラッシュ装置に使用される半導体レーザ装置内部のレーザチップの概略図である。
【図１７】本発明の第５実施形態に係るフラッシュ装置に使用される半導体レーザ装置内部の概略図である。
【図１８】本発明の第６実施形態に係るフラッシュ装置に使用される半導体レーザ装置の内部構造の概略図である。
【図１９】本発明の第７実施形態に係るフラッシュ装置に使用される半導体レーザ装置９２の内部構造の概略図である。
【符号の説明】
【０１１０】
１      フラッシュ装置
２      カメラ
３      フラッシュ光照射パターン
１０    半導体レーザ装置
１１    青レーザチップ
１１ａ  青レーザ発光点
１２    赤・赤外２波長モノリシックレーザ
１２ａ  赤外レーザ発光点
１２ｂ  赤レーザ発光点
１３    サブマウント
１４    ステム
２０    フィルム
２０ａ  標準サイズ画面
２０ｂ  ハーフサイズ画面
２１ａ  青色光パターン
２１ｂ  緑色光パターン
２１ｃ  赤色光パターン
２１ｄ  白色光パターン
３０    サブマウント
３１    青レーザチップ
３１ａ  青レーザ発光点
３２    赤外レーザチップ
３２ａ  赤外レーザ発光点
３３    赤レーザチップ
３３ａ  赤レーザ発光点
３４    青レーザチップ
３４ａ  青レーザ発光点
３５    赤・赤外２波長モノリシックレーザ
３５ａ  赤外レーザ発光点
３５ｂ  赤レーザ発光点
３６    レーザチップ
３７    レーザ光束
３８    反射板
３９    散乱光
４０、４１  反射板
５０    青色サファイヤ六角柱レーザ
５０ａ１、５０ａ２、５０ｂ１、、５０ｂ２，５０ｃ１、５０ｃ２  端面
５１ａ、５１ｂ、５２ａ、５２ｂ、５３ａ、５３ｂ  青色レーザ光
５４ａ、５４ｂ  白色散乱光
６０    半導体レーザ装置
６１    パッケージ
６２    放射方向収束ミラー
６３、６４  基板
６５    反射板
７０    半導体レーザ装置
８０、８０ａ、８０ｂ、８０ｃ  レーザチップ
８１    蛍光体
８２    赤蛍光体
８３    青蛍光体
８４    緑蛍光体
８５    サブマウント
９０    半導体レーザ装置
９１    反射板
９２    半導体レーザ装置
９３    青色２チャンネルモノリシックレーザ
【図１】
2005208333.tif 000003
【図２】
2005208333.tif 000004
【図３】
2005208333.tif 000005
【図４】
2005208333.tif 000006
【図５】
2005208333.tif 000007
【図６】
2005208333.tif 000008
【図７】
2005208333.tif 000009
【図８】
2005208333.tif 000010
【図９】
2005208333.tif 000011
【図１０】
2005208333.tif 000012
【図１１】
2005208333.tif 000013
【図１２】
2005208333.tif 000014
【図１３】
2005208333.tif 000015
【図１４】
2005208333.tif 000016
【図１５】
2005208333.tif 000017
【図１６】
2005208333.tif 000018
【図１７】
2005208333.tif 000019
【図１８】
2005208333.tif 000020
【図１９】
2005208333.tif 000021